(57)【要約】【課題】原稿給紙トレイ装置において、サイドフェンスを容易に正確にセットでき、またサイドフェンスの位置を正確に把握できるようにする。【解決手段】この装置は、載置台２５と、１対のサイドフェンス２６ａ，２６ｂと、サイズ表示部２７と、連動機構２８と、を備えている。載置台２５は、原稿が載置される載置面２５ａと、載置面２５ａの側方に設けられ装置手前側から視認可能な側面２５ｂと、を有している。サイドフェンス２６ａ，２６ｂは、載置台２５に、原稿幅方向に移動自在に配置され、原稿の幅方向の移動を規制するための部材である。サイズ表示部２７は、載置台２５の側面２５ｂに設けられ、サイドフェンス２６ａ，２６ｂの位置に対応して複数のサイズ表示を選択的に表示可能である。連動機構２８はサイドフェンス２６ａ，２６ｂの移動とサイズ表示部２７とを連動させるための機構である。【選択図】図４
2009137704.tif 000002
【特許請求の範囲】
【請求項１】
原稿用紙又は印刷用紙が載置される画像形成装置の給紙トレイ装置であって、
用紙が載置される載置面と、前記載置面の側方に設けられ前記画像形成装置を操作する側である装置手前側から視認可能な側面と、を有する載置台と、
前記載置台に、用紙の搬送方向と直交する用紙幅方向に移動自在に配置され、用紙の幅方向の移動を規制するための１対のサイドフェンスと、
前記載置台の側面に設けられ、前記１対のサイドフェンスの位置に対応して複数のサイズ表示を選択的に表示可能なサイズ表示部と、
前記１対のサイドフェンスの移動と前記サイズ表示部とを連動させるための連動機構と、
を備えた給紙トレイ装置。
【請求項２】
前記サイズ表示部は、円板状に形成されるとともに外周面に所定の角度間隔で複数の用紙サイズが表示されており、前記載置台の側面に、前記外周面が前記装置手前側から視認可能なように回転自在に設けられている、請求項１に記載の給紙トレイ装置。
【請求項３】
前記サイズ表示部は、一部が前記載置台の側面から前記装置手前側に突出している、請求項１又は２に記載の給紙トレイ装置。
【請求項４】
前記サイズ表示部は内部に磁性体を有しており、前記サイズ表示部の前記装置手前側に突出した部分に金属片を保持可能である、請求項３に記載の給紙トレイ装置。
【請求項５】
前記連動機構は、前記１対のサイドフェンスのそれぞれに固定され、前記用紙の幅方向に延びる第１ラック及び第２ラックと、
前記第１ラックと前記第２ラックとの間に配置されるとともに前記両ラックに噛み合うピニオンギアと、
前記ピニオンギアに固定されて前記ピニオンギアとともに回転する第１プーリと、
前記サイズ表示部に固定されて前記サイズ表示部とともに回転する第２プーリと、
前記第１プーリと前記第２プーリとの間に掛け渡されたベルトと、
を有している、請求項２に記載の給紙トレイ装置。
【請求項６】
前記連動機構は、前記１対のサイドフェンスのそれぞれに固定され、前記用紙の幅方向に延びる第１ラック及び第２ラックと、
前記第１ラックと前記第２ラックとの間に配置されるとともに前記両ラックに噛み合うピニオンギアと、
前記サイズ表示部に固定されて前記サイズ表示部とともに回転する表示部ギアと、
前記ピニオンギアの回転を前記表示部ギアに伝達する少なくとも１つのギアを有する伝達ギア部と、
を有している、請求項２に記載の給紙トレイ装置。
【請求項７】
前記載置台は原稿が載置される原稿給紙トレイである、請求項１から６のいずれかに記載の給紙トレイ装置。
【請求項８】
前記載置台は印刷される用紙が載置される手差し給紙トレイである、請求項１から６のいずれかに記載の給紙トレイ装置。
【請求項９】
請求項７の給紙トレイ装置を有する原稿自動供給装置と、
前記原稿自動供給装置が上部に配置され、前記原稿自動供給装置により供給された原稿を読み取る原稿読取部と、前記原稿読取部によって読み取られた画像情報に基づいて印刷用紙に画像を形成する画像形成部と、前記画像形成部に供給する印刷用紙を収納する用紙収納部と、を内部に有する装置本体と、
を備えた画像形成装置。
【発明の詳細な説明】
【技術分野】
【０００１】
本発明は、給紙トレイ装置、特に、原稿用紙又は印刷用紙が載置される画像形成装置の給紙トレイ装置に関する。また本発明は、以上のような給紙トレイ装置を有する画像形成装置に関する。
【背景技術】
【０００２】
複写機等においては、複写機本体の上部に自動原稿供給装置が設けられているものが多い。この自動原稿供給装置は、原稿が載置される載置台を有するとともに、載置台に載置された原稿を１枚ずつ複写機本体側に搬送するための搬送機構や、搬送しながら原稿の画像情報を読み取る読取部等を有している。
【０００３】
このような原稿自動供給装置における載置台には、原稿の幅方向、すなわち原稿の搬送方向と直交する方向の、原稿の移動を規制するために、幅規制ガイドとしての１対のサイドフェンスが設けられている。
【０００４】
例えば、特許文献１に記載された装置では、原稿の幅方向に移動可能な１対のサイドフェンスが設けられている。そして、コピーモードとファクシミリ送信モードのいずれのモードを選択するかに対応して、１対のサイドフェンスの可動範囲を規制し、原稿の誤セットを防止するようにしている。
【０００５】
また、特許文献２に記載された装置では、原稿自動供給装置の原稿載置台の近傍に外装部材が設けられており、この外装部材に傾斜面を形成するとともに、操作支援事項を記載したラベルを傾斜面に張り付けて、自動原稿供給装置の操作を支援することが示されている。
【特許文献１】特開平９−８３７２０号公報
【特許文献２】特開２００６−６０５３９号公報
【発明の開示】
【発明が解決しようとする課題】
【０００６】
前述のような従来の装置では、原稿の誤セットを防止したり、あるいは自動原稿供給装置の操作を支援したりすることが可能である。特に、特許文献２の装置では、健常者ばかりではなく、車椅子の使用者の操作をも支援できるように構成されている。
【０００７】
しかし、特に原稿載置台にセットされた原稿のサイズに合わせてサイドフェンスを正しい位置に移動させることは、前述のいずれの従来技術によっても困難である。すなわち、自動原稿供給装置は画像形成装置本体の最上部に配置されており、しかも原稿載置台はその最も上部に配置され、さらにガイド部材は原稿載置台の上面から上方に突出して配置されている。したがって、特に車椅子の使用者にとっては、原稿のサイズに合わせてサイドフェンスを操作したり、またサイドフェンスの位置を確認したりすることは非常に困難である。
【０００８】
本発明の課題は、原稿等の用紙が載置される給紙トレイ装置において、サイドフェンスを容易に正確にセットでき、またサイドフェンスの位置を正確に把握できるようにすることにある。
【課題を解決するための手段】
【０００９】
請求項１に係る給紙トレイ装置は、原稿用紙又は印刷用紙が載置される画像形成装置の給紙トレイ装置であって、載置台と、１対のサイドフェンスと、サイズ表示部と、連動機構と、を備えている。載置台は、用紙が載置される載置面と、載置面の側方に設けられ画像形成装置を操作する側である装置手前側から視認可能な側面と、を有している。１対のサイドフェンスは、載置台に、用紙の搬送方向と直交する用紙幅方向に移動自在に配置され、用紙の幅方向の移動を規制するための部材である。サイズ表示部は、載置台の側面に設けられ、１対のサイドフェンスの位置に対応して複数のサイズ表示を選択的に表示可能である。連動機構は１対のサイドフェンスの移動とサイズ表示部とを連動させるための機構である。
【００１０】
この装置では、サイズ表示部を作動させて所定のサイズ表示を選択すると、サイズ表示部に連動して１対のサイドフェンスがサイズ表示部に表示されたサイズに関連した移動位置に移動する。例えば、サイズ表示部において「Ａ４」を表示させると、１対のサイドフェンスはＡ４サイズの用紙の幅を規制できるような位置に移動する。また、逆に、１対のサイドフェンスを移動させると、この移動に応じて、サイズ表示部の表示内容が変化する。したがって、１対のサイドフェンスの位置をサイズ表示部によって確認することができる。
【００１１】
ここでは、１対のサイドフェンスの位置とサイズ表示部で表示される内容とが対応しており、かつサイズ表示部が装置手前側から認識しやすい載置台の側面に配置されているので、車椅子の使用者等が操作する場合でも、サイドフェンスを容易に正確な位置にセットでき、またサイドフェンスの位置を容易に確認することができる。
【００１２】
請求項２に係る給紙トレイ装置は、請求項１の装置において、サイズ表示部は、円板状に形成されるとともに外周面に所定の角度間隔で複数の用紙サイズが表示されており、載置台の側面に、外周面が装置手前側から視認可能なように回転自在に設けられている。
【００１３】
この装置では、サイドフェンスを移動させることによりサイズ表示部が回転し、その外周面に表示された内容によりサイドフェンスの位置を容易に確認できる。また、逆に、サイズ表示部を回転させて所望のサイズを表示させることにより、サイドフェンスをサイズ表示部に表示された位置に移動させることができる。
【００１４】
請求項３に係る給紙トレイ装置は、請求項１又は２の装置において、サイズ表示部は、一部が載置台の側面から装置手前側に突出している。
【００１５】
ここでは、サイズ表示部が載置台の側面から装置手前側に突出しているので、サイズ表示部に表示された内容を確認しやすくなる。また、突出している部分を利用して、クリップ等を置く場所に利用することができる。
【００１６】
請求項４に係る給紙トレイ装置は、請求項３の装置において、サイズ表示部は内部に磁性体を有しており、サイズ表示部の装置手前側に突出した部分に金属片を保持可能である。
【００１７】
ここでは、サイズ表示部に設けられた磁性体によってクリップ等の金属片を吸着保持することができる。
【００１８】
請求項５に係る給紙トレイ装置は、請求項２の装置において、連動機構は、第１ラック及び第２ラックと、第１プーリと、第２プーリと、ピニオンギアと、ベルトと、を有している。第１ラック及び第２ラックは、１対のサイドフェンスのそれぞれに固定され、用紙の幅方向に延びる。ピニオンギアは第１ラックと第２ラックとの間に配置されるとともに両ラックに噛み合う。第１プーリはピニオンギアに固定されてピニオンギアとともに回転する。第２プーリはサイズ表示部に固定されてサイズ表示部とともに回転する。ベルトは第１プーリと第２プーリとの間に掛け渡されている。
【００１９】
この装置では、サイズ表示部が回転させられると、これに伴って第２プーリが回転する。第２プーリの回転はベルトを介して第１プーリに伝達され、ピニオンギアが回転する。そして、ピニオンギアの回転によりラックが移動し、このラックに固定された１対のサイドフェンスが移動する。
【００２０】
また、逆に、一方のサイドフェンスを移動させると、ピニオンギアが回転し、これにより他方のサイドフェンスが移動するとともに、ピニオンギアの回転が第１プーリ及びベルトを介して第２プーリに伝達され、これによりサイズ表示部が回転する。
【００２１】
この場合は、簡単な構成で連動機構を構成することができる。
【００２２】
請求項６に係る給紙トレイ装置は、請求項２の装置において、連動機構は、第１ラック及び第２ラックと、ピニオンギアと、表示部ギアと、伝達ギア部と、を有している。第１ラック及び第２ラックは、１対のサイドフェンスのそれぞれに固定され、用紙の幅方向に延びている。ピニオンギアは第１ラックと第２ラックとの間に配置されるとともに両ラックに噛み合う。表示部ギアはサイズ表示部に固定されてサイズ表示部とともに回転する。伝達ギア部はピニオンギアの回転を表示部ギアに伝達する少なくとも１つのギアを有している。
【００２３】
この装置では、サイズ表示部が回転させられると、表示部ギアが回転し、この表示部ギアの回転が伝達ギア部及びピニオンギアに伝達され、ピニオンギアの回転によりラックを介してサイドフェンスが移動する。逆に、サイドフェンスを移動させると、ピニオンギアが回転し、これにより伝達ギア部を介して表示部ギアが回転し、サイズ表示部が回転する。
【００２４】
この場合は、簡単な構成で連動機構を構成することができる。
【００２５】
請求項７に係る給紙トレイ装置は、請求項１から６のいずれかの装置において、載置台は原稿が載置される原稿給紙トレイである。
【００２６】
請求項８に係る給紙トレイ装置は、請求項１から６のいずれかの装置において、載置台は印刷される用紙が載置される手差し給紙トレイである。
【００２７】
請求項９に係る画像形成装置は、請求項７の給紙トレイを有する原稿自動供給装置と、装置本体と、を備えている。装置本体は、原稿自動供給装置が上部に配置され、原稿自動供給装置により供給された原稿を読み取る原稿読取部と、原稿読取部によって読み取られた画像情報に基づいて印刷用紙に画像を形成する画像形成部と、画像形成部に供給する印刷用紙を収納する用紙収納部と、を内部に有している。
【発明の効果】
【００２８】
以上のように、本発明では、原稿等の用紙が載置される給紙トレイ装置において、サイドフェンスを容易に正確にセットすることができる。また、サイドフェンスの位置を容易に正確に把握することができる。
【発明を実施するための最良の形態】
【００２９】
図１は本発明に係る給紙トレイ装置を有する原稿自動供給装置が適用された画像形成装置の一実施形態を示す斜視図である。なお、図１において、Ｙ−Ｙ方向を前後向と定義し、特に、操作者が操作する際に立つ側である−Ｙ方向を装置手前側とし、逆の＋Ｙ方向を装置奥側とする。
【００３０】
［全体構成］
画像形成装置１は、図１に示すように、基本的に、外観視でほぼ箱形に形成された装置本体２と、この装置本体２の頂部に設けられた原稿自動供給装置３と、を備えている。
【００３１】
装置本体１の内部には、主に、原稿自動供給装置３により供給された原稿の画像を読み取る原稿読取部５と、この原稿読取部５によって読み取られた画像情報に基づき画像を形成する画像形成部６と、が設けられている。また、画像形成部６の下方には、画像が形成される印刷用紙（以下、単に用紙と記す）を収納する用紙収納部７が設けられている。さらに、装置本体１の左側面には画像形成された用紙が排出される排紙トレイ８が設けられ、右側面には手差し給紙トレイ９が設けられている。また、装置本体１の上面において、装置手前側には、画像形成処理のための各種の条件を入力するための操作部１０が配置されている。
【００３２】
原稿読取部５は、装置本体１の上面における原稿自動供給装置３の下面と対向した位置に嵌め込まれたコンタクトガラスや、装置本体１内においてコンタクトガラスと対向するように設けられた光学系ユニット等を備えている。これらの構成は、従来装置における周知の構造と同様である。
【００３３】
画像形成部６は、感光体ドラムや現像装置、定着装置を備えており、これらは従来装置と同様の構成であるので、ここでは詳細な説明は省略する。
【００３４】
また、用紙収納部７は複数の給紙カセット７ａ，７ｂ，７ｃ，７ｄを有しており、それぞれ装置本体２から引き出し可能である。
【００３５】
［原稿自動供給装置］
図２及び図３は、原稿自動供給装置３の一実施形態を示す正面図である。原稿自動供給装置３は、本体２０と、原稿給紙トレイ装置２１とを有している。
【００３６】
本体２０は、装置奥側に設けられた図示しないヒンジによって、装置手前側から開放可能である。コンタクトガラス上に本等の厚みのあるものを載置してコピー処理を行う場合などは、この本体２０を開けて使用する。なお、図２及び図３では、本体２０が閉められた状態を示している。また、本体２０の左側部２０ａには、原稿給紙トレイ装置２１からの原稿をコンタクトガラス上に搬送するための搬送ローラやガイド部材等が設けられている。また、この左側部２０ａには、原稿の画像情報を読み取る読取部が設けられている。本体２０において、原稿給紙トレイ装置２１の下方には、原稿排出部２０ｂが設けられている。原稿給紙トレイ装置２１から本体２０の左側部２０ａに向けて搬送され、画像情報が読み取られた原稿は、この原稿排出部２０ｂ上に排出されるようになっている。
【００３７】
＜原稿給紙トレイ装置＞
原稿給紙トレイ装置２１は本体２０に対して開閉自在に設けられている。具体的には、原稿給紙トレイ装置２１は、図２及び図３における左側端部（原稿搬送方向下流側の端部）が、本体２０の左側部２０ａに図示しないヒンジにより、図３の矢印Ｐで示すように、開閉自在に装着されている。
【００３８】
原稿給紙トレイ装置２１は、原稿が載置される載置台（給紙トレイ）２５と、載置台２５の上面に設けられた１対のサイドフェンス２６と、載置台２５に設けられたサイズ表示部２７と、連動機構２８(図４参照）とを有している。
【００３９】
（１）載置台
載置台２５は、原稿の搬送方向と直交する方向であるＹ−Ｙ方向に長い板状の部材であり、図１及び図２から明らかなように、原稿搬送方向の上流側である右側が、逆側に比べて高くなるように傾斜して設置されている。この載置台２５は、原稿が載置される載置面２５ａと、載置面２５ａの側方に設けられ載置面２５ａと直交する側面２５ｂとを有している。載置面２５ａはほぼ平坦な面であり、載置された原稿が搬送方向下流側である本体２０の左側部２０ａにスムーズに引き込まれるようになっている。また、側面２５ｂは、操作者が操作する際に、装置手前側から視認可能なように形成されている。なお、この側面２５ｂは、車椅子を使用する操作者が操作しやすい高さ位置に配置されている。
【００４０】
（２）サイドフェンス
１対のサイドフェンス２６ａ，２６ｂは、載置台２５の上面において、原稿の搬送方向と直交する原稿幅方向（すなわちＹ−Ｙ方向）に移動自在に設けられている。この１対のサイドフェンス２６ａ，２６ｂを原稿サイズに合わせて適切な位置に移動させることにより、すなわち、１対のサイドフェンス２６ａ，２６ｂを、これらが載置台２５に載置された原稿の幅方向の両側部に当接するように移動させることにより、原稿の幅方向の移動を規制することができる。なお、１対のサイドフェンス２６ａ，２６ｂは、一方を移動させることにより、他方も同期して移動するように構成されている。すなわち、一方のサイドフェンス２６ａ又はサイドフェンス２６ｂを、例えばＡ４サイズの原稿の一側部に当接するよう位置に移動させれば、他方のサイドフェンス２６ｂ又はサイドフェンス２６ａはＡ４サイズの原稿の他側部に当接する位置に移動する。載置台２５の載置面２５ａの下方に、１対のサイドフェンス２６を同期して移動させるための機構が設けられているが、この同期のための機構については後述する。
【００４１】
（３）サイズ表示部
サイズ表示部２７は、図１〜図５に示すように、載置台２５の装置手前側の側面２５ｂに設けられている。すなわち、前述のように、サイズ表示部２７は、車椅子を使用する操作者が、操作する側である装置手前側から視認可能で、かつ装置手前側から操作しやすい位置に設けられている。サイズ表示部２７は、所定の厚みを有する円板状の部材であって、載置台２５の一部に回転自在に設けられている。そして、図５に載置台２５の一部を拡大して示すように、サイズ表示部２７の一部は、載置台２５の側面２５ｂから装置手前側に露出しており、外周面には各種の原稿サイズ（Ａ５，Ｂ５，Ａ４，Ｂ４，Ａ３等）が表示されている。より具体的には、載置台２５の側面２５ｂは、図５に示すように、その一部が装置手前側に突出しており、この突出部２５ｃの一部に開口部２５ｄが形成されている。そして、この開口部２５ｄからサイズ表示部２７の一部がさらに装置手前側に突出し、サイズ表示部２７の外周面２７ａを装置手前側から視認することができるようになっている。また、後述するように、１対のサイドフェンス２６の位置とサイズ表示部２７の回転位置（側面２５ｂから露出している部分に表示されているサイズ）とは、連動機構２８を介して対応するようになっている（詳細は後述する）。
【００４２】
なお、サイズ表示部２７の内部には磁性体２９(図４及び図５の破線で示す部材）が設けられている。そして、側面２５ｂの突出部２５ｃの上部には平面部２５ｅが形成されている。したがって、この平面部２５ｅにクリップ等の金属部材を置いたときに、このクリップ等をサイズ表示部２７の内部に設けられた磁性体２９によって吸着保持することが可能である。
【００４３】
（４）連動機構
次に、１対のサイドフェンス２６ａ，２６ｂを同期して移動させ、かつサイドフェンス２６ａ，２６ｂとサイズ表示部２７とを連動させるための連動機構２８について、図４を用いて説明する。図４は、連動機構２８を説明するために、載置台２５の載置面２５を除去して、かつ模式的に示したものである。
【００４４】
連動機構２８は、載置台２５の載置面２５ａの下方に配置されており、１対のサイドフェンス２６ａ，２６ｂのそれぞれに固定されたラック３１ａ，３１ｂと、各ラック３１ａ，３１ｂに噛み合うピニオンギア３２と、を有している。
【００４５】
１対のラック３１ａ，３１ｂはともにＹ−Ｙ方向に延びる部材である。一方のラック３１ａは装置奥側の端部がサイドフェンス２６ａの下面から延びる連結部（図示せず）に連結されており、他方のラック３１ｂは装置手前側の端部がサイドフェンス２６ｂの下面から延びる連結部（図示せず）に連結されている。なお、各サイドフェンス２６ａ，２６ｂの下面に設けられた連結部は、載置台２５の載置面２５ａに形成されたＹ−Ｙ方向に延びる溝２５ｆ（図１参照）を通過して載置面２５ａの下方に延びている。そして、各ラック３１ａ，３１ｂの対向する端面には歯が形成されている。
【００４６】
ピニオンギア３２は載置台２５の下部に回転自在に支持されており、１対のラック３１ａ，３１ｂの間に配置されて、両ラック３１ａ，３１ｂに噛み合っている。
【００４７】
また、連動機構２８は、以上の部材に加えて、ピニオンギア３２と同軸上に相対回転不能に固定された第１プーリ３４と、サイズ表示部２７と同軸上に相対回転不能に固定された第２プーリ３５と、これらのプーリ３４，３５間に掛け渡されたベルト３６とを有している。なお、各プーリ３４，３５はそれぞれピニオンギア３２、サイズ表示部２７の下方に配置されている。
【００４８】
そして、１対のサイドフェンス２６ａ，２６ｂとサイズ表示部２７との関係は、以上の連動機構２８によって以下のように設定されている。
【００４９】
すなわち、例えば、Ａ４サイズの原稿を載置台２５上に載置し、１対のサイドフェンス２６ａ，２６ｂをＡ４サイズの原稿の両側部に当接する程度に移動させた場合、サイズ表示部２７の「Ａ４」と表示された部分が載置台２５の側面２５ｂに形成されたマークＭ（図５参照）の位置と合致するように構成されている。他のサイズについても同様で、１対のサイドフェンス２６ａ，２６ｂを原稿サイズに合わせて移動させると、サイズ表示部２７におけるサイズ表示（原稿サイズ）がマークＭと合致する。もちろん、その逆も同様であり、サイズ表示部２７の例えば「Ａ４」と表示された部分をマークＭの位置に合わせることにより、１対のサイドフェンス２６ａ，２６ｂがＡ４サイズ原稿の幅規制をするための位置に移動する。
【００５０】
なお、以上のようなサイドフェンス２６ａ，２６ｂとサイズ表示部２７との連動動作については、後述する。
【００５１】
［動作］
次に、主に原稿セット時の動作について着目して本装置の動作を説明する。ここでは、原稿給紙トレイ装置２１のサイドフェンス２６ａ，２６ｂの位置を確認しにくい車椅子使用者等が操作する場合について説明する。
【００５２】
例えば、Ａ４サイズの原稿を載置台２５にセットする場合、車椅子使用者等にとってはサイドフェンス２６ａ，２６ｂの位置を上方から確認することが困難である。そこで、操作者は、視認及び操作が容易なサイズ表示部２７を回転させて、「Ａ４」の表示をマークＭに合致させることにより、１対のサイドフェンス２６ａ，２６ｂを正確に位置決めすることができる。
【００５３】
具体的には、サイズ表示部２７が操作者によって回転させられると、これに伴って第２プーリ３５が回転し、この回転はベルト３６を介して第１プーリ３４に伝達される。第１プーリ３４が回転すると、これに伴ってピニオンギア３２が回転する。ピニオンギア３２にはラック３１ａ，３１ｂが噛み合っているので、例えばピニオンギア３２が図４のＡ方向に回転すると、一方のラック３１ａはＡａ方向に移動し、他方のラック３１ｂは逆にＡｂ方向に移動する。すなわち、互いに近づく方向に移動する。また、ピニオンギア３２が逆方向（Ｂ方向）に回転すると、一方のラック３１ａはＢａ方向に移動し、他方のラック３１ｂは逆にＢｂ方向に移動する。すなわち、互いに離れる方向に移動する。
【００５４】
以上のようにして、サイズ表示部２７を回転させることにより１対のサイドフェンス２６ａ，２６ｂが移動し、サイドフェンス２６ａ，２６ｂはサイズ表示部２７で表示されたＡ４サイズ原稿の幅規制のための位置に移動する。
【００５５】
また、操作者は、前記とは逆に、サイズ表示部２７の表示を見ながら装置手前側のサイドフェンス２６ｂを移動させて所望の位置にセットすることも可能である。
【００５６】
例えば、操作者にとって操作しやすい装置手前側のサイドフェンス２６ｂをＡｂ方向に移動させると、ピニオンギア３２がＡ方向に回転し、これにより装置奥側のサイドフェンス２６ａがＡａ方向に移動する。また、ピニオンギア３２の回転は、第１プーリ３４及びベルト３６を介して第２プーリ３５に伝達され、これによりサイズ表示部２７が回転する。そして、サイズ表示部２７の表示（例えば「Ａ４」）がマークＭに一致したところでサイドフェンス２６ｂの移動を止めると、その位置がＡ４サイズの原稿に適した位置になっている。
【００５７】
以上のようにして１対のサイドフェンス２６ａ，２６ｂを適切な位置にセットした後の処理は、従来装置と同様である。すなわち、操作パネル１０に設けられたスタートボタンを押すことにより、原稿が搬送され、本体２０の読取部によって画像情報が読み取られる。そして、給紙トレイ７ａ〜７ｄのいずれかから原稿サイズに適した用紙が選択されて画像形成部６に給紙される。画像形成部６で画像が形成された用紙は排出トレイ８に排出される。一方、原稿給紙トレイ装置２１から搬送され、画像情報が読み取られた原稿は、本体２０の原稿排出部２０ｂに排出される。
【００５８】
［特徴］
以上のような本実施形態では、載置台２５の装置手前側の側面２５ｂに設けられたサイズ表示部２７によってサイドフェンス２６ａ，２６ｂの位置を容易に、かつ正確に確認することができる。したがって、車椅子使用者等のように、サイドフェンス２６ａ，２６ｂの位置を上方から確認することが困難な操作者が操作する場合でも、操作が容易になる。
【００５９】
また、サイズ表示部２７によって原稿サイズを表示するための構成は、従来装置に設けられているサイドフェンス２６ａ，２６ｂの同期のための機構に加えて、プーリ３４，３５とベルト３６及び円板状の部材(サイズ表示部２７）を設けるだけでよく、簡単な構成で実現することが可能である。
【００６０】
さらに、サイズ表示部２７が設けられた載置台２５の側面突出部２５ｃ，２５ｅを利用して、クリップ等を保持しておく部分を実現することができる。
【００６１】
［他の実施形態］
（ａ）連動機構は図４に示した構成に限定されない。例えば、図６に示したような構成によっても実現することができる。
【００６２】
図６に示した実施形態では、１対のサイドフェンス２６ａ，２６ｂの同期のための機構（ラック＆ピニオンギア）は前記実施形態と同様の構成であり、これに加えて、複数のギアからなるギア列によって連動機構４０が構成されている。すなわち、この連動機構４０を構成するギア列は、サイズ表示部２７と同軸上に相対回転不能に固定された表示部ギア４１と、ピニオンギア３２’と表示部ギア４１との間に設けられた第１アイドルギア４２及び第２アイドルギア４３を有している。各３ギア４１〜４３は、それぞれラック３１ａ，３１ｂやサイズ表示部２７の下方に配置されている。また、第１アイドルギア４２及び第２アイドルギア４３は載置台２５の下部に回転自在に支持されている。
【００６３】
ここでは、ピニオンギア３２’は前記実施形態に比較して厚みが厚く形成されており、ピニオンギア３２’の上側部分はラック３１ａ，３１ｂに噛み合い、下側部分が第１アイドルギア４２に噛み合っている。そして、第１アイドルギア４２は第２アイドルギア４３に噛み合い、第２アイドルギア４３はサイズ表示２７に固定された表示部ギア４１に噛み合っている。
【００６４】
このような構成によっても、伝達経路がプーリ及びベルトか、ギア伝達かの違いだけで、前記実施形態と全く同様に動作し、同様の作用効果を得ることができる。
【００６５】
（ｂ）前記実施形態では、載置台２５の側面２５ｂに突出部を設け、その突出部からサイズ表示部２７の一部が露出するようにしたが、サイズ表示部２７の支持のための構成はこれに限定されない。
【００６６】
例えば、図７に示すように、載置台２５’の側面２５ｂ’に突出部を設けずに、サイズ表示部２７のほぼ半分が外部に露出するようにしてもよい。
【００６７】
（ｃ）前記実施形態では、本発明を原稿自動供給装置の給紙トレイ装置に採用したが、他のトレイにも同様に適用することができる。例えば、図１の二点鎖線で示すように、手差し給紙トレイ９にも同様にサイドフェンス４５ａ，４５ｂが設けられているので、この手差しトレイ９の装置手前側の側面にサイズ表示部４６を設け、前記実施形態と同様に、サイドフェンス４５ａ，４５ｂとサイズ表示部４６とを連動させるようにしてもよい。
【００６８】
（ｄ）前記実施形態では、サイズ表示部を載置台の側面に回転自在に設けたが、サイズが選択的に表示可能であれば、回転に限定されるものではなく、例えば、原稿の搬送方向にスライド自在に設けてもよい。
【図面の簡単な説明】
【００６９】
【図１】本発明に係る給紙トレイ装置が適用された画像形成装置の一実施形態を示す斜視図。
【図２】原稿自動給紙装置の閉状態を示す正面図。
【図３】原稿自動供給装置の開状態を示す正面図。
【図４】１対のサイドフェンスの同期のための機構及び連動機構を示す平面模式図。
【図５】サイズ表示部が取り付けられた載置台側面の一部拡大図。
【図６】本発明の他の実施形態による図４に対応する図。
【図７】本発明の他の実施形態による図５に対応する図。
【符号の説明】
【００７０】
１  画像形成装置
２  装置本体
３  自動原稿供給装置
５  原稿読取部
６  画像形成部
７  用紙収納部
９  手差し給紙トレイ
２０  本体
２１  原稿給紙トレイ装置
２５，２５’  載置台
２５ａ  載置面
２５ｂ，２５ｂ’  側面
２５ｃ  突出部
２６ａ，２６ｂ  サイドフェンス
２７  サイズ表示部
２８，４０  連動機構
２９  磁性体
３１ａ，３１ｂ  ラック
３２，３２’  ピニオンギア
３４  第１プーリ
３５  第２プーリ
３６  ベルト
４１  表示部ギア
４２  第１アイドルギア
４３  第２アイドルギア
【図１】
2009137704.tif 000003
【図２】
2009137704.tif 000004
【図３】
2009137704.tif 000005
【図４】
2009137704.tif 000006
【図５】
2009137704.tif 000007
【図６】
2009137704.tif 000008
【図７】
2009137704.tif 000009